【手続補正書】
【提出日】平成21年12月11日(2009.12.11)
【手続補正１】
【補正対象書類名】特許請求の範囲
【補正対象項目名】全文
【補正方法】変更
【補正の内容】
【特許請求の範囲】
【請求項１】
複数の走査電極と複数のデータ電極との交差に対応して設けられ、前記走査電極に走査電圧が印加され、かつ前記データ電極にデータ電圧が印加されたときに、前記データ電圧および前記走査電圧に応じた駆動電圧が印加される電気光学層を含む複数の表示画素を有する表示装置を駆動する表示駆動装置であって、
前記表示装置において複数の表示画素が配置された表示領域の温度を検知する手段であって、複数の温度センサにより前記表示領域の予め定められた複数位置の温度を検知する温度検知手段と、
前記温度検知手段により検知された複数位置の各温度の値を用いて所定の演算を行い、前記複数位置の温度の代表値を求める演算手段と、
前記演算手段により得られた代表値に基づいて、前記表示装置を駆動するためのパラメータを決定して前記表示装置を駆動する駆動手段と
を有する表示駆動装置。
【請求項２】
前記演算手段は、前記複数位置の温度の平均値を代表値とすることを特徴とする請求項１に記載の表示駆動装置。
【請求項３】
前記演算手段は、前記複数位置の温度の標準偏差σを求め、前記複数位置の温度のうち３σの範囲外にある温度を除外して複数位置の温度の平均値を求め、該平均値を代表値とすることを特徴とする請求項１に記載の表示駆動装置。
【請求項４】
前記演算手段は、前記複数位置の温度の最低温度値を代表値とすることを特徴とする請求項１に記載の表示駆動装置。
【請求項５】
前記表示装置には前記表示装置に接して部材が配置されており、前記温度センサのうち少なくとも一つは該部材の近傍に配置され、
前記複数位置の各温度を所定の周期で記憶する記憶手段を有し、
前記駆動手段は、前記記憶手段に記憶された温度の変化量が所定の変化量以上である場合、該部材の近傍に配置された温度センサで検知した温度の値を代表値とすること
を特徴とする請求項１に記載の表示駆動装置。
【請求項６】
前記複数位置の各温度の中から最高温度値を抽出し、最高温度値を検知した温度センサから最も離れた位置にある表示画素の位置の温度を所定の演算により求め、求めた温度の値を代表値とすることを特徴とする請求項１に記載の表示駆動装置。
【請求項７】
前記演算手段は、前記複数位置の温度の平均値と、前記複数位置の各温度を用いて予め定めた演算処理により求めた値とを求め、該値と前記平均値との差が所定値以上である場合には、前記演算処理により求めた値を代表値とすることを特徴とする請求項１に記載の表示駆動装置。
【請求項８】
前記演算手段は、前記複数位置の温度の平均値と、前記複数位置の温度の最高温度値と最低温度値とを特定し、前記最高温度値と前記最低温度値との差が所定値未満である場合には前記平均値を代表値とし、前記最高温度値と前記最低温度値との差が所定値以上である場合には、前記複数位置の各温度を用いて予め定めた演算処理により求めた値を代表値とすることを特徴とする請求項１に記載の表示駆動装置。
【請求項９】
前記演算手段は、前記複数位置の温度の中から最高温度値を抽出し、該最高温度値を代表値としたときに前記表示画素の表示状態を前記第１表示状態と前記第２表示状態とに切り替え可能な温度範囲の最高温度値を前記抽出した最高温度値から減算し、該減算により得られた値を代表値とすることを特徴とする請求項１に記載の表示駆動装置。
【請求項１０】
前記演算手段は、前記複数位置の温度の中から最低温度値を抽出し、該最低温度値を代表値としたときに前記表示画素の表示状態を前記第１表示状態と前記第２表示状態とに切り替え可能な温度範囲の最低温度値を前記抽出した最低温度の値に加算し、該加算により得られた値を代表値とすることを特徴とする請求項１に記載の表示駆動装置。
【請求項１１】
前記表示装置に表示する文字の文字サイズを検知する文字サイズ検知手段を有し、
前記演算手段は、所定値以下の文字サイズが前記文字サイズ検知手段により検知された場合には、前記複数位置の温度の中から抽出した最低温度値を代表値とし、所定値以下の文字サイズが前記文字サイズ検知手段により検知されなかった場合には、前記複数位置の温度の中から最高温度値を抽出し、該最高温度値を代表値としたときに前記表示画素の表示状態を前記第１表示状態と前記第２表示状態とに切り替え可能な温度範囲の最高温度値を前記抽出した最高温度の値から減算し、該減算により得られた値を代表値とすることを特徴とする請求項１に記載の表示駆動装置。
【請求項１２】
前記表示装置に表示する文字の文字サイズを検知する文字サイズ検知手段を有し、
前記演算手段は、所定値以下の文字サイズが前記文字サイズ検知手段により検知された場合には、前記複数位置の温度の中から抽出した最低温度値を代表値とし、所定値以下の文字サイズが前記文字サイズ検知手段により検知されなかった場合には、前記複数位置の温度の平均値を代表値とすることを特徴とする請求項１に記載の表示駆動装置。
【請求項１３】
前記複数位置の温度の最高温度値と最低温度値との差が、前記表示画素の表示状態を前記第１表示状態と前記第２表示状態とに切り替え可能な温度範囲を越えた場合、
前記演算手段は、前記文字サイズ検知手段の検知結果に応じて代表値を決定すること
を特徴とする請求項１１または請求項１２に記載の表示駆動装置。
【請求項１４】
複数の走査電極と複数のデータ電極との交差に対応して設けられ、前記走査電極に走査電圧が印加され、かつ前記データ電極にデータ電圧が印加されたときに、前記データ電圧および前記走査電圧に応じた駆動電圧が印加される電気光学層を含む複数の表示画素と、
前記複数の表示画素が配置された表示領域の温度を検知する手段であって、複数の温度センサにより前記表示領域の予め定められた複数位置の温度を検知する温度検知手段と、
前記温度検知手段により検知された複数位置の各温度を用いて所定の演算を行い、前記複数位置の温度の代表値を求める演算手段と、
前記演算手段により得られた代表値に基づいて、前記表示画素を駆動するためのパラメータを決定して前記表示画素を駆動する駆動手段と
を有する表示装置。
【請求項１５】
前記電気光学層は、コレステリック液晶であり、
前記表示画素の表示状態は、前記コレステリック液晶の配向状態が、前記駆動電圧が印加される前にホメオトロピック配向に遷移され、次に前記駆動電圧によってホメオトロピック配向と過渡プレーナ配向のいずれかが選択されることによって、決定されることを特徴とする請求項１４に記載の表示装置。
【請求項１６】
請求項１４または請求項１５に記載の表示装置を有する電子機器。
【手続補正２】
【補正対象書類名】明細書
【補正対象項目名】００１５
【補正方法】変更
【補正の内容】
【００１５】
また、本発明は、複数の走査電極と複数のデータ電極との交差に対応して設けられ、前記走査電極に走査電圧が印加され、かつ前記データ電極にデータ電圧が 印加されたときに、前記データ電圧および前記走査電圧に応じた駆動電圧が印加される電気光学層を含む複数の表示画素と、前記複数の表示画素が配置された表 示領域の温度を検知する手段であって、複数の温度センサにより前記表示領域の予め定められた複数位置の温度を検知する温度検知手段と、前記温度検知手段に より検知された複数位置の各温度を用いて所定の演算を行い、前記複数位置の温度の代表値を求める演算手段と、前記演算手段により得られた代表値に基づいて、前記表示画素を駆動するためのパラメータを決定して前記表示画素を駆動する駆動手段とを有する表示装置と、該表示装置を有する電子機器を提供する。
本発明においては、前記表示装置の前記電気光学層は、コレステリック液晶であり、前記表示画素の表示状態は、前記コレステリック液晶の配向状態が、前記駆動電圧が印加される前にホメオトロピック配向に遷移され、次に前記駆動電圧によってホメオトロピック配向と過渡プレーナ配向のいずれかが選択されることによって、決定されてもよい。